(57)【要約】【課題】継手本体に押輪を挿入する場合、少ない力で押しこむことができ、確実に管の接続ができるフレキシブルチューブ用継手を開発することを課題とする。【解決手段】筒状本体１１と、押輪２５と、筒状本体１１の内部における押輪２５よりも奥側に配置されるリテーナ３５と、リテーナ３５よりも奥側の筒状本体の内周に配置される環状のシール材２１と、該シール材２１よりも奥側に配置される抜け止めリング２０とを具備し、フレキシブルチューブ１は、コルゲイト管２が、押輪２５の端部から、この押輪２５とリテーナ３５と筒状本体１１との内部に向けて挿通可能とされることで、その先端部がシール材２１の内周に圧入され、抜け止めリング２０と抜け出し不能に係合するように構成され、リテーナ３５は、その内部に挿通されたコルゲイト管２と押輪２５との両者に係り合い可能とされてなり、押輪２５外周に、筒状本体１１内面に形成されためねじとねじ嵌合するおねじが設けられてなる。【選択図】図３
2004011900.tif 000002
【特許請求の範囲】
【請求項１】
コルゲイト管にて構成されたフレキシブルチューブのための継手であって、
筒状本体と、先端部が筒状本体の内部に挿入される押輪と、筒状本体の内部における押輪よりも奥側に配置されるリテーナと、リテーナよりも奥側の筒状本
体の内周に配置される環状のシール材と、該シール材よりも奥側に配置される抜け止めリングとを具備し、
フレキシブルチューブは、コルゲイト管が、前記押輪の端部から、この押輪と前記リテーナと筒状本体との内部に向けて挿通可能とされることで、その先端部がシール材の内周に圧入され、抜け止めリングと抜け出し不能に係合するように構成され、リテーナは、その内部に挿通されたコルゲイト管と押輪との両者に係り合い可能とされてなり、前記押輪外周に、筒状本体内面に形成されためねじとねじ嵌合するおねじが設けられ、該押輪は前記筒状本体内にねじ込むことにより筒状本体内部に挿通されるようにしたことを特徴とするフレキシブルチューブ用継手。
【請求項２】
請求項１のフレキシブルチューブ用継手において、押輪の外周に締め付け工具が掛かり合う異形表面部が設けられているフレキシブルチューブ用継手。
【発明の詳細な説明】
【０００１】
【発明の属する技術分野】
本発明はフレキシブルチューブ用継手に関し、特にガス配管などに使用されるフレキシブルチューブ用継手の改良に関する。
【０００２】
【従来の技術】
この種のフレキシブルチューブ用継手として、図４に示す構造のものが知られている。
【０００３】
図４において、１はガス管で、図示例の場合フレキシブルチューブを示し、薄肉のステンレス製のコルゲイト管２と、このコルゲイト管２の外周を覆う樹脂製のチューブ状の被覆体３とによって構成されている。このコルゲイト管２において、４は山部、５は谷部である。
【０００４】
このフレキシブルチューブ１は、通常、コルゲイト管２の先端の数山分につき被覆体３が取り除かれた状態で継手１０に接続される。
このフレキシブルチューブ用継手１０において、１１は筒状本体で、真鍮などの金属によって形成され、その一端に外ねじ部１２が形成されることで、ガス管などの被接続体に接続することができるように構成されている。１３は六角部で、外ねじ部１２のねじ込み操作のために用いられる。
【０００５】
筒状本体１１の他端側の内周には、その開口側から順に、収納シリンダ部１５と、シールリング嵌合溝１６と、環状のシール材収容部１７と、コルゲイト管収容部１８とが設けられている。シール材収容部１７には、最奥部に継手１０の奥方へ曲げられた爪片を有する抜け止め環２０が挿入され、この開口側に、環状のゴム製のシール材２１が、ゆるい圧入状態で収容されている。シール材２１は、筒状本体１１の奥側に位置する一般ゴム部２３とこの一般ゴム部２３よりも筒状本体１１の開口側に位置する耐火部２２とが軸心方向に一体化された構成となっている。耐火部２２は、たとえば熱膨張性黒鉛が混入されたニトリルゴムなどの、耐火性を有する比較的硬質の材料で形成されている。一般ゴム部２３は、ニトリルゴムなどの、耐火性は有しないが軟質でシール性能にすぐれた材料で形成されている。
【０００６】
２５は押輪で、真鍮などの金属によって筒状に形成されるとともに、その一端側に、筒状本体１１の収納シリンダ部１５に挿入可能な筒部２６を有する。押輪２５の他端側の外周には、収納シリンダ部１５よりも大径の外周面２７が形成されている。
【０００７】
押輪２５の筒部２６の外周には、大径の外周面２７の段状面２８を筒状本体１１の開口端１９に当接すればシールリング嵌合溝１６と向き合うようになる位置にシールリング収納溝２９が形成され、さらに外周面２７側にもう一つのシールリング収納溝３０が設けられている。そしてそれぞれのシールリング収納溝２９、３０にはシールリング３１、３１が収納されている。
【０００８】
なお、押輪２５が筒状本端１１内に押し込まれ、シールリング嵌合溝１６に筒部２６のシールリング収納溝２９が向き合い、シールリング３１が両溝にかかって入りこむことがないように、段状面２８と筒状本体１１の開口端１９との間にはスペーサ３４が介挿される。
【０００９】
３５は、押輪２５とシール材２１との間に介挿されたリテーナを示し、押輪２５の先端面に形成された内向き縮径のテーパ面３６に押されると縮径変形し、その内側にあるコルゲイト管２の谷部５と係合し抜け出ないように保持する。
【００１０】
また、大径の外周面２７の内面にはシール用ゴム輪３２の収納溝３３が形成されている。
次に、このフレキシブルチューブ用継手１０にフレキシブルチューブ１を接続する手順について説明する。
【００１１】
まず、外周の被覆体３を除去し、必要な山数だけコルゲイト管２を露出させたフレキシブルチューブ１を図４に示すように、段状面２８と筒状本体１１の開口端１９との間にスペーサ３４を介挿したままで挿入する。
【００１２】
フレキシブルチューブ１のコルゲイト管２の先端を、継手１０の最奥端まで突き付けるように挿入したあと、スペーサ３４を取り外し、押輪２５を筒状本体１１内に押しこむ。
【００１３】
すると、図５に示すように、リテーナ３５が押輪２５のテーパ面３６に押されて縮径変形し、コルゲイト管２の谷部５に引掛かり、抜けないように保持する。
同時に、押輪２５の筒部２６外周の周方向収納溝２９と、筒状本体１１内面の周方向溝１６との軸方向位置が一致し、内部に圧入されていたシールリング３１が弾撥的に入りこんでシールすると同時に抜出し防止を行う。
【００１４】
また、外面被覆のプラスチックチューブ３外周に、シール用ゴム輪３２が密着し防水を行う。
したがって、押輪２５を筒状本体１１内に押しこむだけで水密、気密状態にガス管を接続することができ、作業が非常に簡単になる。
【００１５】
【発明が解決しようとする課題】
ところで、上記のフレキシブルチューブ用継手１０は、抜け出し防止を確実に機能させるためには、押輪２５を図６に示すように完全に筒状本体１１内のシール材方向へ押込み、先端のテーパ面でリテーナを縮径変形させ、同時に押輪２５の筒部２６外周の周方向収納溝２９と、筒状本体１１内面の周方向溝１６との軸方向位置を一致させ、内部に圧入されていたシールリング３１の断面が両溝２９、１６に掛け渡されるように嵌めこまなければならないが、このような位置まで押輪２５を押し込むのは相当大きな力が必要で、人力程度では無理な場合もあると言った問題があった。
【００１６】
この発明は、上記問題を解消し、押輪を挿入する場合に、少ない力で押しこむことができ、確実に管の接続ができるフレキシブルチューブ用継手を開発することを課題としてなされたものである。
【００１７】
【課題を解決するための手段】
この課題を達成するため請求項１の発明は、コルゲイト管にて構成されたフレキシブルチューブのための継手であって、筒状本体と、先端部が筒状本体の内部に挿入される押輪と、筒状本体の内部における押輪よりも奥側に配置されるリテーナと、リテーナよりも奥側の筒状本体の内周に配置される環状のシール材と、該シール材よりも奥側に配置される抜け止めリングとを具備し、フレキシブルチューブは、コルゲイト管が、前記押輪の端部から、この押輪と前記リテーナと筒状本体との内部に挿通されることで、その先端部がシール材の内周に圧入され、抜け止めリングと抜け出し不能に係合するように構成され、リテーナは、その内部に挿通されたコルゲイト管と押輪との両者に係り合い可能とされてなり、前記押輪外周に、筒状本体内面に形成されためねじとねじ嵌合するおねじが設けられ、該押輪は前記筒状本体内にねじ込むことにより筒状本体内部に挿通されれるようにしたことを特徴とするものである。
【００１８】
このような構成であると、押輪を筒状本体にねじ込んでいくだけで、リテーナに対して強力な押圧力を発揮させることができ、容易に管の接続が可能となる。
請求項２の発明は、請求項１のフレキシブルチューブ用継手において、押輪の外周に締め付け工具が掛かり合う異形表面部が設けられているものである。
【００１９】
ここに、締め付け工具が掛かり合う異形表面部とは、六角ナットのような形状のほか、円筒体外周に平行な２面の平面を形成したものなどがある。
この異形表面部に締付け工具を係合させることにより上記締め付け作業が容易に可能となるのである。
【００２０】
【発明の実施の形態】
以下、本発明の実施の形態であるフレキシブルチューブ用継手を、図１および図２にもとづき、図４〜図６に示した部材と同一の部材には同一の参照番号を付して、詳細に説明する。
【００２１】
図１において、筒状本体１１は、ねじ部１２、六角部１３などを有している点は従来のフレキシブルチューブ用継手と同じである。
この発明の実施の形態のフレキシブルチューブ用継手は、筒状本体１１の収納シリンダ部１５内面にめねじ４０が形成され、この筒状本体１１内に挿入される押輪２５の筒部２６外面にめねじ４０にねじ嵌合するおねじ４１が設けられている。また、押輪２５の大径部には、スパナやレンチなどの締付工具が掛かり合う六角ナット状や平行二面、四角形などの異形表面部４２が設けられている。
【００２２】
次に、このフレキシブルチューブ用継手の使用状態を説明する。
まず、フレキシブルチューブ１外周の被覆体３を除去し、必要な山数だけコルゲイト管２を露出させたフレキシブルチューブ１を図１に示すように、段状面２８と筒状本体１１の開口端１９との間にスペーサ３４を介挿したままで挿入する。
【００２３】
図４の従来例と同様、フレキシブルチューブ１のコルゲイト管２の先端を、継手１０の最奥端まで突き付けるように挿入したあと、押輪２５を筒状本体１１内にねじ込む。
【００２４】
すると、図２に示すように、リテーナ３５が押輪２５のテーパ面３６に押されて縮径変形し、コルゲイト管２の谷部５に引掛かり、抜けないように保持する。
このとき、押輪２５は、筒状本体１１に対して、ねじ込まれていくので、リテーナ３５は、ねじ進み力によって強力に圧縮され少ない力で容易に変形される。従って、リテーナによる抜け出し防止力は確実に発揮される。
【００２５】
また、外面被覆のプラスチックチューブ３外周に、シール用ゴム輪３２が密着して外部からの地下水などの浸入が防止される。
【００２６】
【発明の効果】
以上のように本発明によると、筒状本体に押輪を摺嵌することによって接続するようにしたフレキシブルチューブ用継手の押輪を、筒状本体内にねじ込むように構成したので、押輪を押しこむための力が小さくて済み、しかも確実に抜け出し防止などの作動を起こさせることができる。
【図面の簡単な説明】
【図１】本発明の実施の形態のフレキシブルチューブ用継手の断面図である。
【図２】図１のＡ−Ａ線矢視側面図である。
【図３】図１のフレキシブルチューブ用継手にフレキシブルチューブを接続し終わった状態を示す断面図である。
【図４】従来のフレキシブルチューブ用継手の断面図である。
【図５】同継手に差し込まれるフレキシブルチューブの断面図である。
【図６】従来のフレキシブルチューブ用継手にフレキシブルチューブを接続し終わった状態を示す断面図である。
【符号の説明】
１　　フレキシブルチューブ
２　　コルゲイト管
１１　　筒状本体
２１　　シール材
２５　　押輪
２６　　筒部
３５　　リテーナ
４０　　めねじ
４１　　おねじ
４２　　異形表面部
【図１】
2004011900.tif 000003
【図２】
2004011900.tif 000004
【図３】
2004011900.tif 000005
【図４】
2004011900.tif 000006
【図５】
2004011900.tif 000007
【図６】
2004011900.tif 000008